(57)【要約】 【課題】着座した男性が小便を困難なくできるコンパクトな着座式便器の提供を目的とする。【解決手段】  便座１３は、分割ライン２２よりも前方の便座前部２３と後方の便座本体部２１とに分割自在に構成されている。便座前部２３は、小便受け２７が設けられ且つ便座本体部２１から連結部２５を介して前方上方へ突出自在である。そのため、便座前部２３を前方上方に突出させることで、小便受け２７が着座した男性の小便排泄位置の前方に位置することとなる。結果、コンパクトな着座式便器１０であっても着座した男性の小便を確実に受けることができ、便器およびその周辺を汚す心配がない。【選択図】  図２
2006149477.tif 000002
【特許請求の範囲】
【請求項１】
排便用開口部を有する便器本体と、便器本体の排便用開口部の周縁に被せられる便座と、を備えた着座式便器であって、
前記便座は、分割ラインよりも前方の便座前部と後方の便座本体部とに分割され、
前記便座前部は、小便受けが設けられ且つ前記便座本体部から連結部を介して前方上方へ突出自在であることを特徴とする着座式便器。
【請求項２】
請求項１に記載の着座式便器であって、
前記連結部は、板バネで形成されるとともにその一端が前記便座本体部および前記便座前部の一方に固定され且つその他端が前記便座本体部および前記便座前部の他方にスライド自在に装着されてなり、前記便座前部を前方に突出させると前記便座前部を上方にリフトさせるように撓み変形することを特徴とする着座式便器。
【発明の詳細な説明】
【技術分野】
【０００１】
本発明は、着座式便器に関し、特に着座式便器の便座の構造に関する。
【背景技術】
【０００２】
近年、トイレ空間を広々と過ごすために便器のコンパクト化に対するニーズが高まっている。
【発明の開示】
【発明が解決しようとする課題】
【０００３】
しかしながら、便器をコンパクト化すればそれに伴って便座開口部も小さくなるため、男性が着座した状態で小便をする場合、例えば図１０に示すように便器１００および周辺を汚してしまう虞があった。
【０００４】
なお、例えば特開平７−２８６３５３号には、着座した男性の小用が便器外に飛び出すのを防止するものが開示されてはいるものの、便器または便座が大型化されてしまう。
【０００５】
本発明は、着座した男性が小便を困難なくできるコンパクトな着座式便器の提供を目的とする。また本発明は、着座した男性が小便を困難なくできるコンパクトな便座の提供を目的とする。
【課題を解決するための手段】
【０００６】
請求項１に記載の発明は、排便用開口部を有する便器本体と、便器本体の排便用開口部の周縁に被せられる便座と、を備えた着座式便器であって、前記便座は、分割ラインよりも前方の便座前部と後方の便座本体部とに分割され、前記便座前部は、小便受けが設けられ且つ前記便座本体部から連結部を介して前方上方へ突出自在であることを特徴とするものである。
【０００７】
請求項２に記載の発明は、請求項１に記載の着座式便器であって、前記連結部は、板バネで形成されるとともにその一端が前記便座本体部および前記便座前部の一方に固定され且つその他端が前記便座本体部および前記便座前部の他方にスライド自在に装着されてなり、前記便座前部を前方に突出させると前記便座前部を上方にリフトさせるように撓み変形することを特徴とするものである。
【発明の効果】
【０００８】
請求項１に記載の発明によれば、便座前部を前方上方に突出させることで、小便受けが着座した男性の小便排泄位置の前方に位置することとなる。そのため、コンパクトな着座式便器であっても着座した男性の小便を確実に受けることができ、便器およびその周辺を汚す心配がない。
【０００９】
請求項２に記載の発明によれば、便座前部を前方に向けて引き出すだけで、小便受けを前方上方の使用位置に移動させることができる。これにより、便座前部を前方（または上方）に移動させた後にさらに上方（または前方）に移動させる場合つまり２段階に移動させる場合と異なり、一度の動作で小便受けの使用位置に移動できるため、操作の煩わしさがない。
【発明を実施するための最良の形態】
【００１０】
以下、本発明の一実施形態を図１〜図９に基づいて説明する。
【００１１】
図１に示すように、この実施形態の着座式便器１０は、図示せぬ排便用開口部を有する便器本体１１と、便器本体１１の上面に同軸上に回転自在に取り付けられた便座１３および便蓋１５と、便器本体１１の後部上面に取り付けられた洗浄装置１７と、を備える。便蓋１５は、図１中矢示Ａ１で示すように、便座１３の上から便器本体１１の排便用開口部１２を開閉する。また、便座１３も便蓋１５と同様に図１中矢示Ａ１で示すように、開閉できる。
【００１２】
この実施形態の便座１３は、便器本体１１の排便用開口部１２の周縁に沿って形成されてたもので、図３ａ、図３ｂに示す如く環状形になっている。また、便座１３は、図３ａ、図３ｂに示す如く、分割ライン２２よりも前方の便座前部２３と、分割ライン２２よりも後方の便座本体部２１と、に分割されている。
【００１３】
図４に示すように便座前部２３には、その下部に小便受け２７が設けられている。小便受け２７は便座前部２３とは別部材で形成されており（図５参照）、小便受け２７の上端の鍔部２７ｂが便座前部２３の下面にネジなどの締結手段で取り付けられている。なお、小便受け２７の本体部２７ａは、図５に示すように、両側端が便座開口部１３ａの中央側に向けて湾曲形成されているとともに下端部が同じく便座開口部１３ａの中央側に向けて湾曲形成された丸みを帯びた形状である。
【００１４】
この実施形態の便座１３は、便座本体部２１と便座前部２３とが「連結部」としての接続バー２５により連結されており、便座前部２３を便座本体部２１手動で前方（図中示Ａ２方向）に引き出すことができるようになっている。
【００１５】
接続バー２５は、板バネにより構成されており、その原形形状は図８に示す如く小湾曲部２５ｄ、２５ｅを有するクランク形状（略Ｚ字状もしくは略Ｓ字状）に形成されている。また、接続バー２５は、一端部２５ａが便座前部に固定され且つ他端部２５ｃが便座本体部２１の下面に設けられたスライドレール２９にスライド自在に装着されている。そして、接続バー２５は、図６に示す如く便座前部２３の通常位置（初期位置）では、スライドレール２９内に撓み変形した状態で収容されており、図７に示す如く便座前部２３を前方（矢示Ａ２方向）に引き出すにしたがい撓み復元していき、最終的に終点で図８に示す如く原形に復帰する。これにより、便座前部２３を前方に引き出すだけで、便座前部２３が斜め上前方へリフトされる。つまり、便座前部２３を前方に引き出すだけで、便座前部２３に設けられた小便受け２７が斜め上前方にリフトされる。
【００１６】
なお、スライドレール内にはストッパ溝３１が設けられる一方で、接続バーの他端にストッパ突起部２５ｆが設けられており、便座前部２３を前方に引き出した際には図８に示すようにストッパ突起部３１とストッパ溝２５ｆとの係合により、便座前部２３が便座本体部２１から脱落しないようになっている。
【００１７】
次に、この実施形態の作用効果を説明する。
【００１８】
（１）この実施形態によれば、小便受け２７を有する便座前部２３が斜め上前方に突出自在であるため、便座前部２３を斜め上前方に突出させると、図９に示すように小便受け２７が着座した男性の小便排泄部Ｘの前方に位置することになる。そのため、図１０に示す比較例の着座式便器１００とは異なりコンパクトな着座式便器１０であっても着座した男性の小便を確実に受けることができ、便器１０およびその周辺を汚す心配がなくなる。
【００１９】
（２）また、便座前部２３が斜め上前方に突出されることで、小便受け２７が便器本体１１に干渉することなく使用位置（突出位置）に移動される。そのため、便器本体１１を大型化したり改造する必要がなく、製造コストを低く抑えることができる。
【００２０】
（３）またこの実施形態によれば、小便受け２７は便座前部２３の下部に設けられていため、便座前部２３の初期位置（通常位置）では小便受け２７は使用者の視覚に入らない。そのため、デザイン的にすっきりした商品価値の高い便器１０となる。
【００２１】
（４）またこの実施形態によれば、便座１３は環状に形成され且つ分割ライン２２よりも前方の便座前部２３と後方の便座本体部２１とに分割自在に構成されている。そのため、小便受け２７の未使用時、つまり、便座前部２３を前方上方に突出する前の初期位置では、便座１３は切欠部などがない従来と同様の完全な環状形となるため、着座違和感がない。
【００２２】
（５）またこの実施形態によれば、小便受け２７が便座前部２３と別部材であるため、必要に応じて小便受け２７を取り外しておくこともできる。
【００２３】
（６）またこの実施形態によれば、連結部２５は、板バネで形成されるとともに一端部２５ａが便座前部２３（または便座本体部２１）に固定され且つ他端部２５ｃが便座本体部２１（または便座前部２３）にスライド自在に装着されてなり、便座前部２３を前方に引き出されると便座前部２３を上方にリフトさせるように撓み復元する構造である。そのため、便座前部２３を前方に向けて引き出すだけで、小便受け２７を斜め前方上方の使用位置（便座前部の突出位置）に移動させることができる。これにより、便座前部２３を前方（または上方）に移動させた後にさらに上方（または前方）に移動させる場合つまり２段階に移動させる場合に比べ、一度の動作で小便受け２７を使用位置に移動でき、操作の煩わしさがない。またこの構造は、ヒンジや回転軸などを使わない簡素な構造であるため、製造コストが安くすむ利点もある。
【００２４】
以上、本発明の一実施形態を図面に基づいて説明したが、本発明は上述の実施形態に限定されるものではなく、例えば下記の様な変更変更が可能である。
【００２５】
（イ）上述の実施形態では、便座前部を手動で前方に引き出す構造であったが、本発明では便座前部がスイッチのＯＮ・ＯＦＦ操作のみで自動で前方に引き出される構造であってもよい。
【００２６】
（ロ）また上述の実施形態では、連結部は板バネで構成されているが、連結部は例えばヒンジや回転軸などを使った構造などその他の構造としてもよい。
【００２７】
（ハ）また上述の実施形態では、小便受けは便座前部と別部材であるが、小便受けと便座とが一体成形されたものであってもよい。
【００２８】
また、本発明はその他の変更も可能であり上述の実施形態に限定されない。
【図面の簡単な説明】
【００２９】
【図１】本発明の一実施形態の着座式便器の側面図である。
【図２】同着座式便器の側面図であって、便座前部を前方に突出させた状態を示す図。
【図３】同着座式便器の便座の斜視図であって、図３ａは通常状態を示す図であり、図３ｂは便座前部を前方に突出させた図である。
【図４】同着座式便器の便座を裏面からみた斜視図。（接続バーおよびスライドレールを除く）
【図５】同着座式便器の便座前部に取り付けられる小便受けの斜視図。
【図６】同着座式便器の拡大断面図であって、便座前部が初期位置にある状態を示す図。
【図７】同着座式便器の拡大断面図であって、便座前部が初期位置から突出位置に引き出される途中の状態を示す図。
【図８】同着座式便器の拡大断面図であって、便座前部が突出位置にある状態を示す図。
【図９】同着座式便器の使用状態を示す概略図。
【図１０】比較例として単にコンパクト化した着座式便器の使用状態を示す側面図。
【符号の説明】
【００３０】
１０…着座式便器
１１…便器本体
１３…便座
１３ａ…便座開口部
２１…便座本体部
２２…分割ライン
２３…便座前部
２５…接続バー（連結部）
２５ａ…一端部
２５ｂ…中央部
２５ｃ…他端部
２７…小便受け
Ｘ…小便排泄部
【図１】
2006149477.tif 000003
【図２】
2006149477.tif 000004
【図３】
2006149477.tif 000005
【図４】
2006149477.tif 000006
【図５】
2006149477.tif 000007
【図６】
2006149477.tif 000008
【図７】
2006149477.tif 000009
【図８】
2006149477.tif 000010
【図９】
2006149477.tif 000011
【図１０】
2006149477.tif 000012